(57)【特許請求の範囲】
【請求項１】
上下枠及び左右の縦枠を枠組みしてなる窓枠と、上下枠間に配置固定される縦骨と、下枠と縦骨とを連結する連結金具とを備え、
下枠は、縦骨を配置する位置に室外側が開口した切除部が設けられており、
連結金具は、下枠に対して下方より当接して取付られる取付部と、取付部に連続して下枠の切除部より上方に突出して縦骨が固定される縦骨固定部とを、有する
ことを特徴とするサッシ窓。
【発明の詳細な説明】
【技術分野】
【０００１】
本発明は、上下枠及び左右の縦枠を枠組みしてなる窓枠の上下枠間に縦骨が配置されてなるサッシ窓に関するものである。
【背景技術】
【０００２】
上下枠及び左右の縦枠を枠組みしてなる窓枠の上下枠間に方立を設けてなるサッシ窓において、上下窓枠の方立取付位置に取付金具を固定して、該取付金具を介して上下窓枠に対して方立を取付けてなるサッシ窓は知られている（特許文献１）。
（特許文献１）
【先行技術文献】
【特許文献】
【０００３】
【特許文献１】特開２０１０−１２１２９５号公報
【発明の概要】
【発明が解決しようとする課題】
【０００４】
しかしながら、上記特許文献１のサッシ窓においては、取付金具が上枠や下枠の内周面に当接してネジ止め固定されているので、障子の開閉時に方立にかかる力はネジ等の固定手段に集中して、がたつきや破損原因になる可能性があった。  
【０００５】
本発明は、上記事情を鑑みたものであり、上下枠及び左右の縦枠を枠組みしてなる窓枠に対して方立等の縦骨を取付けるに際して、窓枠に対して方立等の縦骨を強固に固定することができ、外力に対して丈夫な連窓を提供するものである。
【課題を解決するための手段】
【０００６】
本発明は、上下枠及び左右の縦枠を枠組みしてなる窓枠と、上下枠間に配置固定される縦骨と、下枠と縦骨とを連結する連結金具とを備え、下枠は、縦骨を配置する位置に室外側が開口した切除部が設けられており、連結金具は、下枠に対して下方より当接して固定される固定部と、固定部に連続して下枠の切除部より上方に突出して縦骨が固定される縦骨固定部とを有することを特徴とする。
【発明の効果】
【０００７】
連結金具は、下枠への固定部が下枠の下面から当接し、縦骨固定部が下枠の切除部より上方に突出するよう固定されているので、縦骨にかかる外力は連結金具の縦骨固定部の外周に当接する下枠の切除部全体で受けることができ、連結金具を固定するためのネジに外力が集中することによるネジ等の固定手段の緩みや破損を防止することができる。
【図面の簡単な説明】
【０００８】
【図１】本発明の実施形態に係るサッシの外観図である。
【図２】本発明の実施形態に係るサッシの下枠と方立（縦骨）との連結構造を説明する図であり、下枠と方立（縦骨）との連結部分の分解斜視図である。
【図３】本発明の実施形態に係るサッシの下枠及び方立（縦骨）との連結構造を説明するための図であり、下枠及び方立（縦骨）との接合部分の側面図である。
【図４】本発明の実施形態に係るサッシの下枠及び方立（縦骨）との連結構造を説明するための図であり、下枠及び方立（縦骨）との接合部分の平面図である。
【図５】本発明の実施形態に係るサッシに採用される下枠と方立（縦骨）とのを連結する連結金具の図であり、（ａ）は正面図、（ｂ）は平面図、（ｃ）は側面図である。
【発明を実施するための形態】
【０００９】
本発明の実施形態の縦骨付きサッシについて、図面を参考にして説明する。
（全体の構成）
図１に示すように、本発明の実施形態の縦骨付きサッシは、アルミニウム等の材料を押出形成してなる上枠１１、下枠１２及び左、右縦枠１３，１４により形成された枠の左右方向中央位置に、同じくアルミニウム等の材料を押出形成してなる方立（縦骨）１５を連結金具５を介して連結した窓枠１と、上框２１、下框２２、及び左、右縦框２３，２４を四周に組んでその内周にガラス等のパネル体２５が嵌め込まれて構成される障子２とからなり、窓枠１の方立（縦骨）１５の左右に形成された開口に対して、障子２を突き出し開閉自在に設けて構成されている。
【００１０】
（下枠の構成）
図２に示すように、窓枠１を構成する下枠１２は、障子２の閉鎖時に障子２の外周と対向する内周面を形成する下壁部１２１と、下壁部１２１の室外側下方に設けられる水切り部１２２と、下壁部１２１の室内側に立ち上がる中空の立上り壁１２３とから構成されており、立上り壁１２３の室内側上端部に障子２の下框２２の室内側面に当接して気密する気密材ｓ１が長手方向全長に亘って配置されている。
【００１１】
図３に示すように、下壁部１２１は、上面を略水平に形成され、その室外側端部が下方に屈曲されて屈曲片１２１ａが形成されている。
水切り部１２２は、その上面が室外側に向かって下方に傾斜する中空の本体部１２２ａと、本体部１２２ａの室内側上面から上方に延設されて下壁部１２１の下面に連続する吹上り防止壁１２２ｂと、中空の本体部１２２ａの下面から垂下され建物開口部に固定するための取付部１２２ｃとから構成されている。
吹上り防止壁１２２ｂの上端は、下壁部１２１の下面の室外側端部より所定寸法室内側に寄った位置に連続されており、水切り部１２２の本体部１２２ａ上面と吹上り防止壁１２２ｂと下壁部１２１とにより室外側に向かう凹部が形成されることで、水切り部１２２の上面を伝わってくる雨水等が風で室内側に吹上がることを防止している。
そして、図２に示すように、下壁部１２１の室外側部位の左右方向中央位置には、室外側端部から水切り部１２２の吹上り防止壁１２２ｂの室外側に亘る矩形の切除部１２１ｂが形成されている。
【００１２】
（方立の構造）
図２に示すように、方立（縦骨）１５は、断面中空矩形状をなし、その室内側方向の中央位置にビスホールが形成された隔壁１５１ａ（図４）を備える本体部１５１と、本体部１５１の両側面の室内側部位からそれぞれ開口の内周方向に延設される気密材取付片１５２，１５２とからなり、気密材取付片１５２，１５２の内周端には、室外側に向けて障子２の縦框（２３，２４）の室内側面に当接して気密する気密材ｓ２が長手方向略全長に亘って配置されている。
そして、図２，３に示すように、方立（縦骨）１５の本体部１５１の下端部は、室外側から室内側に行くにしたがって高くなるように二つの段部が形成されており、本体部１５１の下方位置の両側面には、取付孔１５１ｂ，１５１ｂが形成されている。
【００１３】
（連結金具の構造）
連結金具５は、スチール等の金属材料からなり、図５に示すように、中央に上下方向に立設する縦骨固定部５１と、縦骨固定部５１の左右側面下端より左右に延設された取付部５２，５２とにより、全体として略逆Ｔ字状をなしている。縦骨固定部５１は、背面板５１１及び背面板５１１の両側端から直角に屈曲して同方向に延びる左右の側面板５１２，５１２とからなり、平面視でＵ字状をなしている。
左右の側面板５１２，５１２の下端からそれぞれ左右両側に向けて取付部５２，５２が延設されている。
縦骨固定部５１の左右の側面板５１２，５１２の上端付近には、方立(縦骨）１５と連結するためのネジ孔５１ａ，５１ａが形成されており、取付部５２，５２には、下枠１２と連結するためのネジ孔５２ａ，５２ａが形成されている。
【００１４】
（下枠と方立との連結構造）
方立(縦骨）１５は、下枠１２に対して連結金具５を介して連結される。
図２に示すように、連結金具５は、取付部５２を下方にして、且つＵ字状に形成された縦骨固定部５１の開口を室外側に向けた状態で、下枠１２の下壁部１２１に設けられた切除部１２１ｂに対して縦骨固定部５１が室外側から嵌入されて取付けられている。
連結金具５の下枠１２への取付けに際しては、図３に示すように、連結金具５の取付部５２，５２が、切除部１２１ｂの両側の下壁部１２１下面に下方から当接し、室内側端が吹上り防止壁１２２ｂにより、室外側端が屈曲片１２１ａにより位置決めされて配置され、切除部１２１ｂより縦骨固定部５１が上方に突出した状態で下壁部１２１の上面から連結金具５のネジ孔５２ａ，５２ａに対してネジ等の固定手段ｎを用いて固定されている。
【００１５】
そして、下枠１２の下壁部１２１の切除部１２１ｂから突出して立設する縦骨固定部５１に対して、方立（縦骨）１５の本体部１５１の隔壁１５１ａより室外側の中空部の下端が上方から装着され、下枠１２の上面に対して方立（縦骨）１５が取付けられる。
このとき、方立（縦骨）１５の下端に形成された二つの段部が、下枠１２の水切り部１２２と下壁部１２１との間の段差と下壁部１２１と立上り壁１２３との間の段差とに沿うように方立（縦骨）を配置することで、見込み方向に位置決めすることができる。
その後、縦骨固定部５１の左右側面の取付孔１５１ｂ，１５１ｂと、連結金具５のネジ孔５１ａ，５１ａをネジ等の固定手段ｎにより固定することで、下枠１２に対して方立（縦骨）１５が連結固定される。
下枠１２と方立（縦骨）１５とが連結された際には、図４に示すように、連結金具５の縦骨固定部５１の背面板５１１が方立（縦骨）１５の隔壁１５１ａの室外側面に当接もしくは近接するので、方立（縦骨）１５に対してかかる負圧を連結金具５の背面板５１１で受けることができる、方立（縦骨）１５と下枠１２との接合部に力が集中せずに、強度を向上させることができる。
また、下枠１２の立上り壁１２３に設けられた気密材ｓ１と方立（縦骨）１５の気密材取付片１５２，１５２に設けられた気密材ｓ２とが連続するので、障子２の四周に亘る気密を行うことができる。
【００１６】
以上のように、下枠に対して縦骨である方立を連結金具を介して連結するに際して、連結金具の縦枠固定部を下枠に設けた切除部から上方へ突出するように配置して、取付部は下枠の下面に当接して固定するので、下枠に対する連結金具の左右方向の位置決めが容易で且つ確実に行うことができる。
そして、方立（縦骨）１５にかかる負圧等の外力は連結金具の面で受けることができ、また、連結金具にかかる外力は、連結金具の縦骨固定部の外周に当接する下枠の切除部全体、及び、取付部が固定される下枠の屈曲片や吹上り防止壁で受けることができるので、連結金具を固定するためのネジに外力が集中することがなく、安定した固定を可能するとともに、ネジ等の固定手段の緩みや破損を防止することもできる。
また、連結金具の取付部は、下枠の下方に配置されるので、下枠正面に連結金具が露出することなく、清掃等が容易になり、また、意匠的にも好ましい。
【００１７】
なお、本実施形態のサッシ窓に採用される連結金具による枠同士の連結構造は、下枠と方立の連結だけではなく、あらゆる縦枠と横枠との連結構造として採用することが可能である。
【符号の説明】
【００１８】
１        ：窓枠
１１      ：上枠
１２      ：下枠
１２１    ：下壁部
１２１ａ  ：屈曲片
１２１ｂ  ：切除部
１２２    ：水切り部
１２２ａ  ：本体部
１２２ｂ  ：吹上り防止壁
１２２ｃ  ：取付部
１２３    ：立上り壁
１３      ：右縦枠
１４      ：右縦枠
１５      ：方立（縦骨）
１５１    ：本体部
１５１ａ  ：隔壁
１５１ｂ  ：取付孔
１５２    ：気密材取付片
２        ：障子
２１      ：上框
２２      ：下框
２３      ：左縦框
２４      ：右縦框
２５      ：パネル体
５        ：連結金具
５１      ：縦骨固定部
５１ａ    ：ネジ孔
５２      ：取付部
５２ａ    ：ネジ孔
５１１    ：背面板
５１２    ：側面板
ｎ        ：固定手段
ｓ１      ：気密材
ｓ２      ：気密材
【図１】
0006482150.tif 000002
【図２】
0006482150.tif 000003
【図３】
0006482150.tif 000004
【図４】
0006482150.tif 000005
【図５】
0006482150.tif 000006